(57)【特許請求の範囲】
【請求項１】
両側中間部にドライブプーリを軸支するブラケットを垂設したコンベヤフレームにコンベヤベルトを巻装したコンベヤ部と、前記コンベヤベルトを緊張させる一対のテークアッププーリを備えると共に前記ドライブプーリを駆動するモーターを収納していて前記コンベヤ部を脱着可能に支持する駆動部とから成り、前記ドライブプーリの駆動は、そのプーリ軸に固定した被動ギアに前記モーターの回転軸に固定した駆動ギアを噛合させることにより行ない、前記コンベヤ部の前記駆動部に対する脱着は、前記ドライブプーリ軸を前記駆動部のモーター収納ケースに形成した軸逃溝に挿脱することによって行なうことを特徴とするベルトコンベヤ。
【請求項２】
前記テークアッププーリの間隔を調整可能にした請求項１に記載のベルトコンベヤ。
【請求項３】
前記テークアッププーリを、その軸を前記モーター収納ケースに設けた軸支溝に挿入係止させることにより脱着可能にした請求項１又は２に記載のベルトコンベヤ。
【請求項４】
前記軸支溝がＬ字形である請求項３に記載のベルトコンベヤ。
【発明の詳細な説明】
【０００１】
【発明の属する技術分野】
本発明はベルトコンベヤ、より詳細には、特に、食品を搬送するベルトコンベヤであって、コンベヤフレームをコンベヤ駆動部から取り外して洗浄、殺菌することができるベルトコンベヤに関するものである。
【０００２】
【従来の技術】
食品の製造加工工場等においては、食品の搬送にベルトコンベヤが使用されるが、衛生管理上、少なくとも食品に接するコンベヤベルト部分を、フレームから取り外して時々洗浄する必要がある。
【０００３】
ところでベルトコンベヤには、一端にドライブプーリを有するヘッドドライブタイプと、中間部にドライブプーリを有するセンタードライブタイプとがあり、ヘッドドライブタイプにあっては、コンベヤベルトは何らかの方法でその緊張状態を緩めることにより、側面から比較的容易に脱着することができる。
【０００４】
しかし、図４に示すセンタードライブタイプのベルトコンベヤにあっては、コンベヤベルト２１を支持するコンベヤフレーム２２に、ドライブプーリ２４とコンベヤベルト２１を緊張させるテークアッププーリ２５とを支持する駆動部支持プレート２３とが、溶接又はビス等により固定されるため、コンベヤベルト２１を緩めるだけでは、側面からコンベヤベルト２１を外すことができない。
【０００５】
このコンベヤベルト２１の取り外し作業を可能にするための手段として、図５に示すように、コンベヤフレーム２２の端部にハネ上げ部２６を設け、そのハネ上げによりコンベヤベルト２１を緩め、脱着に障害となるテークアッププーリ２５等を工具等を用いて取り外し、それからコンベヤベルトを取り外すという方法が提唱されている（実開平７−３８０３０号公報等）。しかし、この方法は時間と労力とを必要とするため、作業の容易性と迅速性の点で問題がある。
【０００６】
【発明が解決しようとする課題】
本発明は、上記従来技術における問題点を解決するためになされたもので、コンベヤベルトの脱着作業を何人も容易且つ迅速になし得るベルトコンベヤを提供することを課題とする。
【０００７】
【課題を解決するための手段】
本発明は、両側中間部にドライブプーリを軸支するブラケットを垂設したコンベヤフレームにコンベヤベルトを巻装したコンベヤ部と、前記コンベヤベルトを緊張させる一対のテークアッププーリを備えると共に前記ドライブプーリを駆動するモーターを収納していて前記コンベヤ部を脱着可能に支持する駆動部とから成り、前記ドライブプーリの駆動は、そのプーリ軸に固定した被動ギアに前記モーターの回転軸に固定した駆動ギアを噛合させることにより行ない、前記コンベヤ部の前記駆動部に対する脱着は、前記ドライブプーリ軸を前記駆動部のモーター収納ケースに形成した軸逃溝に挿脱することによって行なうことを特徴とするベルトコンベヤ、を以て上記課題を解決した。
【０００８】
【発明の実施の形態】
本発明の実施の形態につき、添付図面に依拠して説明する。本発明に係るベルトコンベヤはコンベヤ部１とこれを脱着自在に支持するコンベヤ駆動部２とから成り、図１は、コンベヤ部１を駆動部２から分離した状態を示す斜視図である。
【０００９】
本発明に係るベルトコンベヤはセンタードライブタイプのコンベヤで、コンベヤ部１は、幅方向両側中間部にドライブプーリ３を軸支するブラケット４を垂設したコンベヤフレーム５にコンベヤベルト６を掛け回して成る。コンベヤベルト６はゴム製、樹脂製、メタルネット製等その種類を問わない。
【００１０】
コンベヤベルト６はコンベヤフレーム５の両端部の先端プーリ７間に掛け回されて緊張状態に保持されるが、コンベヤ部１を駆動部２から分離した状態においては、かなり弛んだ状態となる（図１、図２参照）。また、ドライブプーリ３の軸に被動ギア８が固定される。被動ギア８は、通例プーリ軸をブラケット４から突出させてその先端に固定される。なお、コンベヤフレーム５の両端部は、上記従来のものと同様にハネ上げ可能にしてもよい。
【００１１】
駆動部２は、定置脚１０と、その上に固定されてモーター１１を収納する上面を開口したモーター収納ケース１２とから成る。モーター１１の駆動軸端はモーター収納ケース１２の外側に出され、そこに被動ギア８に噛合する駆動ギア１３が固定される。
【００１２】
モーター収納ケース１２の対向側面１２ａ、１２ａには、上端から通常垂直方向に軸逃溝１４が形成され、また、当該側面１２ａ間において、一対のテークアッププーリ１５、１５が適宜間隔を置いて軸支される（言うまでもなく、その間隔はドライブプーリ３が通過し得る間隔となる。）。
【００１３】
テークアッププーリ１５はコンベヤベルト６の表面側に直接接触するので、清潔に保持する必要がある。そのために、テークアッププーリ１５、１５の軸を、モーター収納ケース１２の側面１２ａ、１２ａに上方又は側方から形成した軸支溝１６に挿入係止させることにより、テークアッププーリ１５、１５の脱着を容易にし、適持取り外して殺菌洗浄できるようにする。
【００１４】
また、テークアッププーリ１５、１５は、好ましくはその間隔を調整可能にする。そのためには例えば、側面１２ａ、１２ａの上端からＬ字形の軸支溝１６、１６を形成し、その水平部の範囲において、テークアッププーリ１５を移動可能にし、所望の位置で固定可能にする。軸支溝１６を側方から水平方向に形成する場合も、同様に移動可能となる。これらの場合における水平方向の移動は、例えば一般的な押しネジ方式（コンベヤフレーム５の側面に螺進、螺退可能に設置され、先端がテークアッププーリ１５の軸に当接する調節ネジ（ボルト）を進退させて移動させる方式）による。
【００１５】
図１及び図２に示すコンベヤ部１と駆動部２を分離した状態から両部を合体するには、ブラケット４、４をモーター収納ケース１２の内側に挿入し、通例ブラケット４、４の下端をモーター収納ケース１２の内底面に当接させた状態で、ブラケット４、４とモーター収納ケース１２の側面１２ａとをネジ止め（ボルト止め）、ロック止め等により連結する。その際ドライブプーリ３の軸は、軸逃溝１４内に遊挿状態にて逃げ、その回転に支障は生じない。また、その合体時に、駆動ギア１３と被動ギア８とが噛合し、モーター１１による駆動力の伝達が可能となる。
【００１６】
上記合体操作に伴い、コンベヤベルト６は、テークアッププーリ１５、１５によってドライブプーリ３の側面に当接させられ、且つ、緊張状態に保持され、コンベヤベルト６の蛇行調整（片寄り調整）がなされる。
【００１７】
コンベヤ部１を駆動部２から取り外すときは、上記と逆の動作を行なえばよい。そして、取り外したコンベヤ部１の全体、あるいは、コンベヤベルト６のみを、殺菌槽に浸漬する等して消毒洗浄する。
【００１８】
テークアッププーリ１５、１５の間隔を調整可能にしたときは、その位置を変えることによりコンベヤベルト６の緊張度や、コンベヤベルト６のドライブプーリ３に対する接触面積を変えることができる。
【００１９】
言うまでもなく、コンベヤ部１の駆動部２に対する連結部の構成さえ同じであれば、コンベヤフレーム５の長短は問題とはならないので、長さの異なるコンベヤ部１を複数用意して駆動部２を共用することとし、用途、使用場所等に応じて所望の長さのコンベヤ部１を選択使用するという使用法も可能となり、勿論コンベヤ部１の交換も可能である。
【００２０】
【発明の効果】
本発明は上述した通りであって、駆動部に対するコンベヤ部の脱着が容易であり、生産ラインでの作業終了後にコンベヤ部を取り外し、その全体あるいはコンベヤベルトを殺菌洗浄することができ、同種並びに他種のコンベヤ部との交換も容易に行うことができる。従って、特に、衛生管理の必要性の高い食品の製造加工工場等において使用するのに好適なベルトコンベヤを提供できる。
【００２１】
請求項２及び請求項４に記載の発明にあっては、テークアッププーリの間隔を調整することにより、コンベヤベルトの緊張度調整（蛇行調整）及びドライブプーリに対する接触面積の変更調整を行ない得る効果がある。
【００２２】
請求項３及び請求項４に記載の発明にあっては、テークアッププーリの脱着が容易で、適時取り外してその清潔状態を維持し得る効果がある。
【図面の簡単な説明】
【図１】本発明に係るベルトコンベヤのコンベヤ部と駆動部の分離時の斜視図である。
【図２】本発明に係るベルトコンベヤのコンベヤ部と駆動部の分離時の要部側面図である。
【図３】本発明に係るベルトコンベヤのコンベヤ部と駆動部の合体時の要部側面図である。
【図４】従来のセンタードライブタイプのベルトコンベヤの基本構成図である。
【図５】従来の端部ハネ上げ式ベルトコンベヤの構成図である。
【符号の説明】
１      コンベヤ部
２      駆動部
３      ドライブプーリ
４      ブラケット
５      コンベヤフレーム
６      コンベヤベルト
７      先端プーリ
８      被動ギア
１０    定置脚
１１    モーター
１２    モーター収納ケース
１２ａ  側面
１３    駆動ギア
１４    軸逃溝
１５    テークアッププーリ
１６    軸支溝
【図１】
0003825599.tif 000002
【図２】
0003825599.tif 000003
【図３】
0003825599.tif 000004
【図４】
0003825599.tif 000005
【図５】
0003825599.tif 000006